(57)【要約】【課題】複数のページから成る原稿を一度の原稿読み取り動作で読み取り、宛先毎に送信するページを変更して送信できるようにして画像処理装置の操作性を改善する。【解決手段】画像処理装置１は、複数のページから成る原稿の読み取りを行って画像データを生成するスキャナ部２と、スキャナ部２が生成する画像データの送信先として複数の宛先を設定する送信宛先設定部５２と、スキャナ部２によって生成される複数のページの画像データのうちから、複数の宛先のそれぞれに対して送信するための送信ページを設定する送信ページ設定部５３と、送信ページ設定部５３によって設定される宛先毎の送信ページに基づいて、各宛先に送信すべきページの画像データを含む送信用ファイルを生成する送信用ファイル生成部５４と、送信用ファイル生成部５４によって生成される送信用ファイルを宛先毎に個別に送信するファイル送信処理部５５を備える構成である。【選択図】図１
2010135965.tif 000002
【特許請求の範囲】
【請求項１】
複数のページから成る原稿の読み取りを行って画像データを生成する原稿読取手段と、
前記原稿読取手段が生成する画像データの送信先として複数の宛先を設定する送信宛先設定手段と、
前記原稿読取手段によって生成される複数のページの画像データのうちから、前記複数の宛先のそれぞれに対して送信するための送信ページを設定する送信ページ設定手段と、
前記送信ページ設定手段によって設定される宛先毎の送信ページに基づいて、各宛先に送信すべきページの画像データを含む送信用ファイルを生成する送信用ファイル生成手段と、
前記送信用ファイル生成手段によって生成される送信用ファイルを宛先毎に個別に送信するファイル送信手段と、
を備えることを特徴とする画像処理装置。
【請求項２】
前記送信用ファイル生成手段は、前記ファイル送信手段が宛先毎の送信処理を行う際、各宛先に対する送信ページの設定に基づいて前記原稿読取手段によって生成される複数のページの画像データのうちから各宛先に送信すべきページの画像データを抽出し、送信用ファイルを生成することを特徴とする請求項１記載の画像処理装置。
【請求項３】
前記原稿読取手段によって生成される複数のページの画像データを所定ページ数でページ分割を行ってそれぞれ異なるページの画像データを含む複数のファイルを生成するページ分割手段をさらに備え、
前記送信ページ設定手段は、前記複数の宛先のそれぞれに対して前記ページ分割手段で生成された複数のファイルのうちから少なくとも１つのファイルを対応付けることによって、前記複数の宛先のそれぞれに対して送信するための送信ページを設定することを特徴とする請求項１記載の画像処理装置。
【請求項４】
複数のページから成る原稿の読み取りを行って画像データを生成する原稿読取ステップと、
前記原稿読取ステップにおいて生成される画像データの送信先として複数の宛先を設定する送信宛先設定ステップと、
前記原稿読取ステップにおいて生成される複数のページの画像データのうちから、前記複数の宛先のそれぞれに対して送信するための送信ページを設定する送信ページ設定ステップと、
前記送信ページ設定ステップにおいて設定される宛先毎の送信ページに基づいて、各宛先に送信すべきページの画像データを含む送信用ファイルを生成する送信用ファイル生成ステップと、
前記送信用ファイル生成ステップによって生成される送信用ファイルを宛先毎に個別に送信するファイル送信ステップと、
を有することを特徴とする画像処理方法。
【請求項５】
複数のページから成る原稿の読み取りを行って画像データを生成する原稿読取手段を備えた画像処理装置のコンピュータによって実行されるプログラムであって、前記コンピュータを、
前記原稿読取手段が生成する画像データの送信先として複数の宛先を設定する送信宛先設定手段、
前記原稿読取手段によって生成される複数のページの画像データのうちから、前記複数の宛先のそれぞれに対して送信するための送信ページを設定する送信ページ設定手段、
前記送信ページ設定手段によって設定される宛先毎の送信ページに基づいて、前記原稿読取手段によって生成される複数のページの画像データのうちから各宛先に送信すべきページの画像データを含む送信用ファイルを生成する送信用ファイル生成手段、
前記送信用ファイル生成手段によって生成される送信用ファイルを宛先毎に個別に送信するファイル送信手段、
として機能させることを特徴とするプログラム。
【発明の詳細な説明】
【技術分野】
【０００１】
本発明は、複数のページから成る原稿の読み取りを行って複数の宛先に対して画像データを送信する画像処理装置、画像処理方法およびプログラムに関する。
【背景技術】
【０００２】
複合機やＭＦＰ（Multi Function Peripheral）などと呼ばれる画像処理装置は、複数のページから成る原稿を読み取って画像データを生成し、その画像データを指定された送信先に送信することができるようになっている。この場合において、複数ページの原稿を同時に読み取り、原稿のページ毎に宛先を変更したいという要望がある。例えば複数ページから成る技術資料などを複数の関係者に配信する場合、リーダーやマネージャーなどの管理職には概要と結論が記載された先頭ページのみを配信し、非管理職の技術担当者には全ページを配信したいということがある。このような場合、従来の画像処理装置では、管理職に対して配信するための原稿読み取り操作と、技術担当者に対して配信するための原稿読み取り操作とを別々に行う必要があり、操作性が悪いという問題がある。
【０００３】
一方、従来は、複数ページから成る原稿の連続読み取りを行う場合に読み取った原稿を２以上の所定ページ数で分割してそれぞれをファイル化することができる画像処理装置が公知である（例えば、特許文献１）。この技術によれば、例えば全２０枚の原稿を「５枚ごと」の設定で分割すると、合計４つのファイルが生成される。
【０００４】
【特許文献１】特開２００５−１４３０３９号公報
【発明の開示】
【発明が解決しようとする課題】
【０００５】
しかしながら、特許文献１の技術は、同じページ数で構成された複数種類の原稿を同時に読み取って原稿の種類ごとに１つのファイルを生成するための技術であるので、例えば複数のページから成る一つの原稿を読み取って宛先毎に送信するページを変更して送信したい場合には、宛先毎に分割するページ数を変更する必要がある。それ故、特許文献１の技術においても、宛先毎に送信するページを変更する場合は、宛先毎に分割するページ数を変更して原稿読み取り操作を繰り返し行う必要があり、操作性は何ら改善されるものではない。
【０００６】
そこで本発明は、上記課題を解決して操作性を改善するため、複数のページから成る原稿を一度の原稿読み取り動作で読み取り、宛先毎に送信するページを変更して送信することができる画像処理装置、画像処理方法およびプログラムを提供することを目的とする。
【課題を解決するための手段】
【０００７】
上記目的を達成するため、請求項１にかかる発明は、画像処理装置であって、複数のページから成る原稿の読み取りを行って画像データを生成する原稿読取手段と、前記原稿読取手段が生成する画像データの送信先として複数の宛先を設定する送信宛先設定手段と、前記原稿読取手段によって生成される複数のページの画像データのうちから、前記複数の宛先のそれぞれに対して送信するための送信ページを設定する送信ページ設定手段と、前記送信ページ設定手段によって設定される宛先毎の送信ページに基づいて、各宛先に送信すべきページの画像データを含む送信用ファイルを生成する送信用ファイル生成手段と、前記送信用ファイル生成手段によって生成される送信用ファイルを宛先毎に個別に送信するファイル送信手段と、を備えることを特徴としている。
【０００８】
かかる構成によれば、複数のページから成る原稿の読み取りを行って生成される複数ページの画像データのうちから、複数の宛先のそれぞれに対して送信するための送信ページを設定することで、その設定された宛先毎の送信ページに基づいて各宛先に送信すべきページの画像データを含む送信用ファイルを生成することができるので、ファイル送信手段が宛先毎に生成された送信用ファイルを個別に送信すると、各宛先にはそれぞれ異なるページの画像データが含まれた送信用ファイルが送信される。
【０００９】
また請求項２にかかる発明は、請求項１記載の画像処理装置において、前記送信用ファイル生成手段は、前記ファイル送信手段が宛先毎の送信処理を行う際、各宛先に対する送信ページの設定に基づいて前記原稿読取手段によって生成される複数のページの画像データのうちから各宛先に送信すべきページの画像データを抽出し、送信用ファイルを生成することを特徴としている。
【００１０】
また請求項３にかかる発明は、請求項１記載の画像処理装置において、前記原稿読取手段によって生成される複数のページの画像データを所定ページ数でページ分割を行ってそれぞれ異なるページの画像データを含む複数のファイルを生成するページ分割手段をさらに備え、前記送信ページ設定手段は、前記複数の宛先のそれぞれに対して前記ページ分割手段で生成された複数のファイルのうちから少なくとも１つのファイルを対応付けることによって、前記複数の宛先のそれぞれに対して送信するための送信ページを設定することを特徴としている。
【００１１】
また請求項４にかかる発明は、画像処理方法であって、複数のページから成る原稿の読み取りを行って画像データを生成する原稿読取ステップと、前記原稿読取ステップにおいて生成される画像データの送信先として複数の宛先を設定する送信宛先設定ステップと、前記原稿読取ステップにおいて生成される複数のページの画像データのうちから、前記複数の宛先のそれぞれに対して送信するための送信ページを設定する送信ページ設定ステップと、前記送信ページ設定ステップにおいて設定される宛先毎の送信ページに基づいて、各宛先に送信すべきページの画像データを含む送信用ファイルを生成する送信用ファイル生成ステップと、前記送信用ファイル生成ステップによって生成される送信用ファイルを宛先毎に個別に送信するファイル送信ステップとを有することを特徴としている。
【００１２】
また請求項５にかかる発明は、複数のページから成る原稿の読み取りを行って画像データを生成する原稿読取手段を備えた画像処理装置のコンピュータによって実行されるプログラムであって、前記コンピュータを、前記原稿読取手段が生成する画像データの送信先として複数の宛先を設定する送信宛先設定手段、前記原稿読取手段によって生成される複数のページの画像データのうちから、前記複数の宛先のそれぞれに対して送信するための送信ページを設定する送信ページ設定手段、前記送信ページ設定手段によって設定される宛先毎の送信ページに基づいて、前記原稿読取手段によって生成される複数のページの画像データのうちから各宛先に送信すべきページの画像データを含む送信用ファイルを生成する送信用ファイル生成手段、および、前記送信用ファイル生成手段によって生成される送信用ファイルを宛先毎に個別に送信するファイル送信手段として機能させることを特徴としている。
【発明の効果】
【００１３】
本発明によれば、複数のページから成る原稿を一度の原稿読み取り動作で読み取り、複数の宛先のそれぞれに送信する際には、宛先毎に送信するページを変更して送信することができるようになる。それ故、異なるページを送信することが必要な宛先毎に原稿の読み取り動作を繰り返し行う必要がなくなるので操作性が改善される。
【発明を実施するための最良の形態】
【００１４】
以下、本発明に関する好ましい実施形態について図面を参照しつつ詳細に説明する。尚、以下に説明するいくつかの実施の形態において互いに共通する部材には同一符号を付しており、それらについての重複する説明は省略する。
【００１５】
（第１の実施の形態）
図１は、本発明が適用される画像処理装置が組み込まれた画像処理システムの一構成例を示す図である。この画像処理システムは、画像処理装置１と、複数のコンピュータ６とがネットワーク４を介して接続された構成である。図例では、画像処理装置１は、コピー機能、スキャナ機能、ＦＡＸ機能、プリンタ機能などの複数の機能を備えたＭＦＰ（Multi Function Peripheral）と呼ばれる装置である場合を例示しているが、これに限られず、例えばスキャナ専用装置であっても良いし、またＦＡＸ専用装置であっても良い。
【００１６】
画像処理装置１は、原稿を読み取るためのスキャナ部２を備えている。スキャナ部２は、原稿を読み取って画像データを生成する原稿読取部２１と、その原稿読取部２１の上部に設けられ、セットされる複数のページから成る原稿を１枚ずつ原稿読取部２１に搬送する自動原稿搬送装置２２とを備えている。そして原稿読取部２１と自動原稿搬送装置２２とが互いに同期した動作を行うことで、自動原稿搬送装置２２が複数ページの原稿を１枚ずつ原稿読取部２１に搬送しつつ、原稿読取部２１がその搬送中の原稿から画像を読み取ることができ、複数のページから成る原稿の連続自動読み取りが可能である。
【００１７】
そして画像処理装置１は、原稿を読み取って生成した画像データをファイル化し、ネットワーク４を介して複数のコンピュータ６のそれぞれに対してそのファイルを送信することが可能である。この場合、画像処理装置１は、自身が直接接続されている内部ネットワーク４ａに接続されたコンピュータ６だけでなく、ルータ５（５ａ，５ｂ）を介して接続される外部ネットワーク４ｂに接続されたコンピュータ６に対してもファイルを送信することができるようになっている。ここで複数のコンピュータ６は、ネットワーク４に接続されたサーバコンピュータ７と、個々のユーザに割り当てられたクライアントコンピュータ８ａ，８ｂ，８ｃ，８ｄ，…で構成されている。
【００１８】
また画像処理装置１は、装置本体の正面側にユーザが操作可能な操作パネル３を備えており、例えば、複数ページから成る原稿を読み取って複数の宛先に送信する場合、ユーザはこの操作パネル３を操作することにより各種の設定を行うことができる。例えば、各クライアントコンピュータ８ａ，８ｂ，８ｃ，８ｄ，…に対して各ユーザ宛の送信用ファイルを送信する場合、ユーザは操作パネル３を操作することによりそれら各クライアントコンピュータ８ａ，８ｂ，８ｃ，８ｄ，…に割り付けられた宛先を指定する。但し、このような送信形態に限られるものではなく、例えばサーバコンピュータ７が備えるハードディスク装置７ａにユーザ毎のフォルダなどが設けられている場合、各ユーザ宛の送信用ファイルをそれらフォルダに出力する形態であっても良い。また同様に、画像処理装置１には内蔵タイプ又は外付けタイプのハードディスク装置４２が設けられることがあり、そのハードディスク装置４２にユーザ毎のフォルダなどが設定されている場合には各ユーザ宛の送信用ファイルをそれらフォルダに出力する形態であっても良い。
【００１９】
図２は、画像処理装置１の内部構成の一例を示すブロック図である。画像処理装置１は、制御部１０と、スキャナ部２と、操作パネル３と、画像メモリ４１と、ハードディスク装置４２と、記憶部４３と、入出力インタフェース４５とを備えており、これらがデータバス４６を介して相互にデータ通信可能に接続された構成である。そしてネットワーク４は入出力インタフェース４５に接続されている。
【００２０】
制御部１０は、画像処理装置１の動作全般を制御するものである。この制御部１０は、ＣＰＵ１１と、ＲＡＭ１２と、ＲＯＭ１３とを備えており、ＲＯＭ１３にはプログラム１４が予め格納されている。ＣＰＵ１１はＲＯＭ１３に格納されたプログラム１４を読み出して実行することにより、後述する各種の処理を実行する演算処理部（コンピュータ）である。ＲＡＭ１２は、ＣＰＵ１１が各種の処理を実行する際に使用する情報などを一時的に記憶しておくための記憶手段である。
【００２１】
操作パネル３は、ユーザが操作可能な操作キー３１と、ユーザに対して各種情報を表示するための画像表示部３２とを備えている。操作キー３１は、画像表示部３２の表面に設けられたタッチパネルキーと、画像表示部３２の周囲に配置された押しボタン式のキーとによって構成されている。また画像表示部３２の表示画面は制御部１０によって制御される。そして操作パネル３は、ユーザが操作キー３１を操作した場合、そのキー操作に基づくキー信号を制御部１０に出力するように構成されている。
【００２２】
画像メモリ４１は、スキャナ部２の原稿読取部２１が原稿を読み取って出力する画像データを記憶するためのものである。スキャナ部２の原稿読取部２１が複数のページから成る原稿を連続自動読み取りする場合であっても、原稿読取部２１から出力される画像データは１ページ毎に出力されるため、画像メモリ４１は、原稿読取部２１から１ページ毎の画像データが出力される度にそれを順次記憶していくように構成されている。
【００２３】
ハードディスク装置４２は上述したものであり、図２では画像処理装置１に内蔵された形態となっている。そのため、このハードディスク装置４２に設定されるユーザ毎のフォルダが、各ユーザ宛の送信用ファイルの宛先となる場合には、画像処理装置１の内部で送信用ファイルの送信処理が行われる。
【００２４】
記憶部４３は、例えば不揮発性メモリなどで構成され、画像処理装置１に対して予め登録された宛先情報４４などを保持するように構成される。宛先情報４４には、画像処理装置１がファイル送信可能な複数の宛先が格納されている。したがって、この宛先情報４４には、ネットワーク４に接続された複数のコンピュータ６の他、サーバコンピュータ７のハードディスク装置７ａに設定されたユーザ毎のフォルダや、画像処理装置１に内蔵されたハードディスク装置４２に設定されたユーザ毎のフォルダなどの宛先を特定する情報が含まれる。
【００２５】
図３は、宛先情報４４の一例を示す図である。宛先情報４４には、各宛先に設定される宛先名４４ａと、各宛先に送信用ファイルを送信するための宛先アドレス４４ｂと、各宛先に対してデフォルト値として設定される分割送信設定４４ｃと、各宛先のユーザに関する情報を格納するユーザ属性４４ｄとが含まれる。
【００２６】
ここで分割送信設定４４ｃは、画像処理装置１において複数のページから成る原稿を読み取って複数の宛先に送信する場合の宛先として選択された場合、複数のページを分割して当該宛先に対して送信する送信ページを抽出するためのパターンを予め設定した項目であり、各宛先に対して複数のパターンの中から予め選択された一のパターンが設定されている。図例の場合、宛先「Ａ」と宛先「Ｄ」のそれぞれの分割送信設定４４ｃがパターン１として設定されており、宛先「Ｂ」と宛先「Ｃ」のそれぞれの分割送信設定４４ｃがパターン２として設定されている。本実施形態では、分割送信設定４４ｃとして各宛先に対して予め設定可能なパターンはパターン１とパターン２の２種類となっている。パターン１は、画像処理装置１において複数のページから成る原稿を読み取った場合、例えば先頭ページ（１ページ目）のみを送信ページとして抽出するパターンである。これに対し、パターン２は、画像処理装置１において複数のページから成る原稿を読み取った場合、例えば読み取った全てのページを送信ページとして抽出するパターンである。尚、この分割送信設定４４ｃは送信用ファイルの送信先として当該宛先が選択された場合に適用されるデフォルト値であり、ユーザは宛先を選択設定した後にこのデフォルト値を変更することで当該宛先に対して送信する送信ページを自由に設定することが可能である。
【００２７】
またユーザ属性４４ｄには、例えば各宛先のユーザに対応する役職が記録されている。そのため、例えば画像処理装置１に対して新規な宛先を登録する際、宛先情報４４に対する新規な情報として宛先名４４ａと、宛先アドレス４４ｂと、ユーザ属性４４ｄとの３つの情報を入力すれば、分割送信設定４４ｃのパターンについてはユーザ属性４４ｄの値に基づいて自動設定することができる。一例を挙げると、ユーザ属性４４ｄとしてリーダーやマネージャーなどの管理職である役職が設定されれば、当該宛先に対応する分割送信設定４４ｃには先頭ページ（１ページ目）のみを送信ページとして抽出するパターン１を自動設定することができ、ユーザ属性４４ｄとして一般職などの非管理職である役職が設定されれば、当該宛先に対応する分割送信設定４４ｃには全てのページを送信ページとして抽出するパターン２を自動設定することができる。
【００２８】
図４は、画像処理装置１に対して宛先情報４４を登録する際に操作パネル３に表示される登録画面の一例を示す図である。図４（ａ）は分割送信設定４４ｃのパターンを直接入力して設定する場合を示している。この場合、操作パネル３の画像表示部３２には、宛先名４４ａと、宛先アドレス４４ｂと、分割送信設定４４ｃとを入力する項目が表示される。新規に宛先を登録するユーザは、宛先名の操作キー３１ａをキー操作して新規な宛先名を入力し、また宛先アドレスの操作キー３１ｂをキー操作してその宛先に対するアドレスを入力し、分割設定の操作キー３１ｃをキー操作して複数のパターンの中から一のパターンを選択する。そして登録キー３１ｅを操作すれば、入力した新規な宛先が記憶部４３の宛先情報４４に追加記録される。尚、新規な宛先を登録せずに終了する場合は、キャンセルキー３１ｄを操作すれば良い。
【００２９】
一方、図４（ｂ）はユーザ属性４４ｄを入力することにより分割送信設定４４ｃを自動設定する場合を示している。この場合、操作パネル３の画像表示部３２には、宛先名４４ａと、宛先アドレス４４ｂと、ユーザ属性４４ｄとを入力する項目が表示される。新規に宛先を登録するユーザは、宛先名の操作キー３１ａをキー操作して新規な宛先名を入力し、また宛先アドレスの操作キー３１ｂをキー操作してその宛先に対するアドレスを入力し、ユーザ属性の操作キー３１ｃをキー操作して複数の役職の中から宛先であるユーザに対応する役職を選択する。そして登録キー３１ｅを操作すれば、入力した新規な宛先が記憶部４３の宛先情報４４に追加記録される。このとき、分割送信設定４４ｃについては入力されたユーザ属性４４ｄに基づいて複数のパターンの中から一のパターンが自動選択され、宛先情報４４に登録される。尚、この場合も、新規な宛先を登録せずに終了する場合は、キャンセルキー３１ｄを操作すれば良い。
【００３０】
そして本実施形態の画像処理装置１は、複数の宛先を指定して複数のページから成る原稿を一度に読み取り、その読み取った複数のページの画像データのうちから宛先毎に送信するページを変更して送信用ファイルを生成して送信処理を行うことで、宛先毎に異なるページの画像データを送信することができるようになっている。このとき、制御部１０においてＣＰＵ１１がプログラム１４を実行することにより、図５に示すように制御部１０が原稿読取制御部５１、送信宛先設定部５２、送信ページ設定部５３、送信用ファイル生成部５４およびファイル送信処理部５５として機能する。
【００３１】
原稿読取制御部５１は、スキャナ部２の原稿読取部２１と自動原稿搬送装置２２とを制御することにより、複数のページから成る原稿の連続読み取りを行わせて、原稿読取部２１から出力される１ページ毎の画像データを画像メモリ４１に格納するための処理部である。
【００３２】
送信宛先設定部５２は、操作パネル３に対して行われるユーザの送信宛先選択操作に基づいて、画像メモリ４１に格納される複数のページの画像データの送信先として複数の宛先を設定する処理部である。
【００３３】
送信ページ設定部５３は、画像メモリ４１に格納される複数のページの画像データのうちから、複数の宛先のそれぞれに対して送信する送信ページを設定する処理部である。本実施形態では、ユーザが操作パネル３に対して複数の宛先を選択する際、各宛先に対する送信ページを自由に指定することができるようになっており、送信ページ設定部５３は、操作パネル３に対して行われるユーザの送信ページ指定操作に基づいて、宛先毎にその指定された送信ページを対応付けることによって設定を行う。
【００３４】
送信用ファイル生成部５４は、送信ページ設定部５３によって設定される宛先毎の送信ページに基づいて、各宛先に対して送信すべきページの画像データを含む送信用ファイルを生成する処理部である。本実施形態では、各宛先に対する送信ページの設定に基づいて画像メモリ４１に格納されている複数のページの画像データのうちから各宛先に送信すべきページの画像データを抽出し、送信用ファイルを生成する。
【００３５】
ファイル送信処理部５５は、送信用ファイル生成部５４によって生成される宛先毎の送信用ファイルをそれぞれの宛先に対して個別に送信する処理部である。そのため、宛先としてネットワーク４のクライアントコンピュータ８ａ，８ｂ，８ｃ，８ｄ，…が指定されていれば、ファイル送信処理部５５はそれらのクライアントコンピュータ８ａ，８ｂ，８ｃ，８ｄ，…に対して個別に送信用ファイルを送信する。また宛先としてサーバコンピュータ７が指定されていれば、ファイル送信処理部５５はサーバコンピュータ７に対して個別に送信用ファイルを送信する。さらに宛先としてハードディスク装置４２のフォルダが指定されていれば、ファイル送信処理部５５は画像処理装置１に内蔵されたハードディスク装置４２の指定されたフォルダに対して個別に送信用ファイルを送信する。
【００３６】
図６および図７は、画像処理装置１が複数のページから成る原稿を読み取って複数の宛先に対してそれぞれ異なるページの画像データで構成された送信用ファイルを送信するための処理手順の一例を示すフローチャートである。この処理は、画像処理装置１の制御部１０においてＣＰＵ１１がプログラム１４を実行することによって行われる。制御部１０が処理を開始すると、まず送信宛先選択処理を行う（ステップＳ１００）。この送信宛先選択処理の詳細は図７に示すフローチャートである。この処理では、まず制御部１０が送信宛先設定部５２として機能する。そして記憶部４３から宛先情報４４を読み出し（ステップＳ１１１）、操作パネル３の画像表示部３２に送信宛先選択画面を表示する（ステップＳ１１２）。
【００３７】
図８は、操作パネル３の画像表示部３２に送信宛先選択画面が表示された状態を示す図である。図８に示すように送信宛先選択画面では、画像処理装置１に予め登録された宛先情報４４に基づく宛先の一覧が表示される。この一覧表示は上下にスクロールすることができる。そのため、ユーザは複数ページから成る原稿を読み取って送信する宛先を繰り返し選択していくことで、複数の宛先を指定することができる。尚、図例では宛先「Ａ」と宛先「Ｂ」とが選択された状態を示している。そしてユーザは、複数の宛先の選択操作が完了すると、選択完了の操作キー３１ｆを操作する。
【００３８】
制御部１０は、選択完了の操作キー３１ｆが操作されたか否かを監視しており（ステップＳ１１３）、操作キー３１ｆが操作された場合（ステップＳ１１３でＹＥＳ）には、ユーザによって選択された複数の宛先に関する宛先設定情報をＲＡＭ１２に格納して次のステップに進む。そして制御部１０は、送信ページ設定部５３として機能し、ユーザが選択した複数の宛先のそれぞれについて設定されている宛先情報４４の分割送信設定４４ｃを読み出し、操作パネル３の画像表示部３２に分割指定確認画面を表示する（ステップＳ１１４）。
【００３９】
図９は、操作パネル３の画像表示部３２に分割指定確認画面が表示された状態を示す図である。図９（ａ）は複数の宛先のそれぞれに対して設定されている分割送信設定４４ｃのパターンに基づいて各宛先に送信する送信ページを表示した状態を示しており、図９（ｂ）はユーザが送信ページの変更操作を行った後の各宛先に送信する送信ページを表示した状態を示している。例えばユーザが複数の宛先として宛先Ａ，Ｂ，Ｃ，Ｄ，…を選択した場合、図９（ａ）に示すように分割指定確認画面の初期状態では宛先情報４４に格納されている分割送信設定４４ｃのパターン（図３参照）に基づいて送信ページが設定されている。図例の場合、宛先「Ａ」に対しては１ページ目のみを送信し、宛先「Ｂ」に対しては全ページを送信し、宛先「Ｃ」に対しては全ページを送信し、宛先「Ｄ」に対しては１ページ目のみを送信することが設定されている。ユーザはこの初期画面を確認して各宛先に送信する送信ページを変更する場合には、各宛先に対応する変更キー３１ｇ，３１ｈ，３１ｉ，３１ｊを操作してから送信ページを設定変更する操作を行う。尚、送信ページの設定変更は、例えば操作パネル３に設けられたテンキー３１ｍなどを操作することによって入力することが可能である。そしてユーザが各宛先に対する送信ページの設定変更を行うと、分割指定確認画面が更新され、例えば図９（ｂ）のように表示される。図例の場合、宛先「Ａ」に対しては１ページ目のみを送信し、宛先「Ｂ」に対しては１〜２ページを送信し、宛先「Ｃ」に対しては１〜２ページを送信し、宛先「Ｄ」に対しては全ページを送信するように設定変更が行われている。そしてユーザは、複数の宛先のそれぞれに対する送信ページの指定が完了すれば、ＯＫの操作キー３１ｋを操作する。
【００４０】
制御部１０は、ステップＳ１１４で操作パネル３の画像表示部３２に分割指定確認画面を表示した後、操作パネル３からのキー信号を受信するまで待機し、キー信号を受信すれば、ユーザが変更キー３１ｇ，３１ｈ，３１ｉ，３１ｊを操作したか否かを判断する（ステップＳ１１５）。そしてユーザが各宛先に対する送信ページの変更操作を行ったと判断した場合には、ステップＳ１１６に進み、指定された宛先に対するページの分割指定を変更する。この処理により、複数ページから成る原稿を分割するページはユーザによって指定されたページに変更され、その宛先に対する送信ページが設定される。そしてステップＳ１１６で送信ページの設定変更を行うと、ステップＳ１１４に戻り、画像表示部３２の表示画面を更新する。そしてステップＳ１１４〜Ｓ１１６の処理が繰り返し行われることにより、操作パネル３の分割指定確認画面は図９（ａ）から図９（ｂ）へと切り替わる。
【００４１】
一方、分割指定確認画面でユーザがＯＫの操作キー３１ｋを操作した場合、制御部１０はステップＳ１１５でＮＯと判断する。そして制御部１０は、宛先毎のページの分割指定（送信ページの設定）をＲＡＭ１２に格納されている複数の宛先に関する宛先設定情報に追加記憶する（ステップＳ１１７）。図１０は、ＲＡＭ１２に格納される宛先設定情報１５の一例を示す図である。上述した送信宛先選択処理（ステップＳ１００）の処理を行うことにより、ＲＡＭ１２に対して宛先設定情報１５が格納される。この宛先設定情報１５には、ユーザが選択した複数の宛先に関する情報が含まれており、各宛先の宛先名１５ａと、各宛先の宛先アドレス１５ｂと、各宛先に送信する際に複数のページから成る原稿を分割して送信するか否かを示す分割指定１５ｃと、分割して送信する場合に各宛先に送信すべきページを指定した指定ページ１５ｄとが含まれている。したがって、この宛先設定情報１５を参照すれば、送信すべき宛先を特定することができると共に、各宛先に送信する際に指定された送信ページを分割して抽出する処理を行うことが必要であるか否かを瞬時に判別することが可能である。以上で、送信宛先選択処理は終了し、図６のフローチャートに戻る。
【００４２】
次に制御部１０は送信設定処理を行う（ステップＳ１０１）。この処理では、複数ページの原稿を読み取って複数の宛先に送信する際のファイル形式の設定など、種々の設定が行われる。そして送信設定処理が終了すると、制御部１０は操作パネル３のスタートキー３１ｎ（図９参照）が操作されるまで待機し（ステップＳ１０２）、スタートキー３１ｎが操作された場合には、スキャナ部２にセットされた複数のページから成る原稿の読み取り動作を行う（ステップＳ１０３）。このとき制御部１０は、原稿読取制御部５１として機能し、スキャナ部２の動作を制御する。そして画像メモリ４１に、複数のページから成る原稿の１ページ毎の画像データが格納される。
【００４３】
このようにして全ての原稿の読み取りが完了すると、制御部１０は、送信用ファイル生成部５４およびファイル送信処理部５５として機能する。そして制御部１０はＲＡＭ１２に格納しておいた宛先設定情報１５を読み出し、ユーザによって選択された複数の宛先のうちから一の宛先を選択する（ステップＳ１０４）。続いて、その一の宛先に対応する分割指定１５ｃを参照し、当該一の宛先に対するページの分割指定があるか否かを確認する（ステップＳ１０５）。その結果、ページの分割指定がある場合には、宛先設定情報１５の指定ページ１５ｄを参照して指定されたページで送信用ファイルを生成する（ステップＳ１０６）。具体的には、画像メモリ４１に格納されている複数ページ分の画像データの中から、宛先設定情報１５の指定ページ１５ｄで指定されたページの画像データを全て抽出してひとつの送信用ファイルを作成する。一方、ページの分割指定がない場合には、画像メモリ４１に格納されている複数ページ分の画像データの全てを含む送信用ファイルを生成する（ステップＳ１０７）。
【００４４】
そして制御部１０は、ステップＳ１０６又はＳ１０７で生成した送信用ファイルを、ステップＳ１０４で選択した一の宛先に送信する（ステップＳ１０８）。その後、制御部１０は、宛先設定情報１５に登録された複数の宛先の全てに対して送信用ファイルの送信処理を行ったか否かを判断する（ステップＳ１０９）。そして未だ送信していない宛先があれば、ステップＳ１０４に戻って上述したステップＳ１０４〜Ｓ１０８の処理を繰り返し実行する。また全ての宛先への送信処理が完了した場合には、この処理は終了する。
【００４５】
図１１は、上述した処理を行うことによって画像処理装置１で実現される送信形態の一例を示す図である。図１１に示すように、例えば画像処理装置１が全１０ページから成る原稿９を一度に読み取り、ユーザによって選択された複数の宛先Ａ，Ｂ，Ｃ，Ｄ，Ｅのそれぞれに対し、ユーザによって指定された送信ページから成る送信用ファイルを送信すると、宛先「Ａ」には１ページ目の画像のみが送信され、宛先「Ｂ」と「Ｃ」には１〜２ページの画像が送信され、宛先「Ｄ」と「Ｅ」には全ページの画像が送信される。
【００４６】
このように本実施形態の画像処理装置１は、複数のページから成る原稿９を一度に読み取り、複数の宛先のそれぞれに対して送信するページを変更して送信することができる。それ故、本実施形態では、例えば複数ページから成る技術資料などを複数の関係者に配信する場合であって、リーダーやマネージャーなどの管理職には概要と結論が記載された先頭ページのみを配信し、非管理職の技術担当者には全ページを配信したいというような場合でも、原稿読取操作を１度行うだけでそれぞれの役職に対して適切に資料を配信することができる。すなわち、本実施形態の画像処理装置１は、送信するページが異なる宛先毎に原稿の読み取り操作を別々に行う必要がなくなるので、複数の宛先に対してそれぞれ異なるページを配信する際の操作性を向上させることが可能である。
【００４７】
尚、上述した例では、各宛先に対してユーザによって指定された送信ページを含むひとつの送信用ファイルを送信する場合を示したが、この他にも例えばユーザによって指定された送信ページを含むひとつの送信用ファイルを送信すると共に、ユーザによって指定されなかった残りのページを含む別の送信用ファイルを送信するようにしても良い。
【００４８】
（第２の実施の形態）
次に第２の実施の形態について説明する。本実施形態では、複数ページから成る原稿を読み取った際に生成される画像データを、所定ページ数で分割して複数の分割ファイルを作成し、複数の宛先に送信する際に、宛先毎に複数の分割ファイルのうちから送信すべきファイルを選択して送信用ファイルを作成する形態について説明する。尚、本実施形態においても、画像処理システムや画像処理装置１の構成は、第１の実施の形態で説明したものと同様である。
【００４９】
本実施形態では、制御部１０においてＣＰＵ１１がプログラム１４を実行することにより、図１２に示すように制御部１０が原稿読取制御部５１、送信宛先設定部５２、送信ページ設定部５３、送信用ファイル生成部５４、ファイル送信処理部５５およびページ分割部５６として機能する。
【００５０】
ここでページ分割部５６は、スキャナ部２が複数のページから成る原稿を読み取って画像メモリ４１に各ページの画像データを格納した後に機能して複数のページの画像データを所定ページ数ごとにページ分割を行ってそれぞれ異なるページの画像データを含む複数の分割ファイルを生成する処理部である。
【００５１】
原稿読取制御部５１および送信宛先設定部５２は、第１の実施の形態と同様である。また送信ページ設定部５３は、第１の実施の形態と同様に、画像メモリ４１に格納される複数のページの画像データのうちから、複数の宛先のそれぞれに対して送信する送信ページを設定する処理部であるが、本実施形態における送信ページ設定部５３は、複数の宛先のそれぞれに対し、ページ分割部５６で生成された複数の分割ファイルのうちから少なくとも１つの分割ファイルを対応付けることによって、複数の宛先のそれぞれに対して送信するための送信ページ（より厳密には分割ファイル）を設定するように構成されている。また送信用ファイル生成部５４は、送信ページ設定部５３によって設定される宛先毎の送信ページ（分割ファイル）に基づいて、各宛先に対して送信すべきページの画像データを含む送信用ファイルを生成する処理部である。本実施形態では、ページ分割部５６によって生成される分割ファイルをそのまま送信用ファイルとして用いるように構成されている。そしてファイル送信処理部５５は、第１の実施の形態と同様に、送信用ファイル生成部５４によって生成される宛先毎の送信用ファイルをそれぞれの宛先に対して個別に送信する処理部である。
【００５２】
図１３は、本実施形態において画像処理装置１が複数のページから成る原稿を読み取って複数の宛先に対してそれぞれ異なるページの画像データで構成された送信用ファイルを送信するための処理手順の一例を示すフローチャートである。この処理は、画像処理装置１の制御部１０においてＣＰＵ１１がプログラム１４を実行することによって行われる。制御部１０が処理を開始すると、まず送信宛先選択処理を行う（ステップＳ２００）。この送信宛先選択処理の詳細は図１４に示すフローチャートである。この処理では、まず制御部１０が送信宛先設定部５２として機能し、記憶部４３から宛先情報４４を読み出し（ステップＳ２２１）、操作パネル３の画像表示部３２に送信宛先選択画面を表示する（ステップＳ２２２）。この状態でユーザは複数の宛先を選択することができるようになるが、これについては第１の実施の形態（図８）と同様であるので、ここでの説明は省略する。そして制御部１０は、複数の宛先の選択操作が終了したか否かを監視しており（ステップＳ２２３）、終了した場合（ステップＳ２２３でＹＥＳ）には、ユーザによって選択された複数の宛先に関する宛先設定情報をＲＡＭ１２に格納する。
【００５３】
図１５は本実施形態の送信宛先選択処理（ステップＳ２００）でＲＡＭ１２に格納される宛先設定情報１５の一例を示す図である。本実施形態の宛先設定情報１５は、各宛先の宛先名１５ａと、各宛先の宛先アドレス１５ｂとが含まれた情報となっている。したがって、第１の実施の形態と異なり、本実施形態では宛先設定情報１５を参照することにより、送信すべき宛先のみを特定することができる。以上で、本実施形態の送信宛先選択処理（ステップＳ２００）が終了し、図１３のフローチャートに戻る。
【００５４】
次に制御部１０は送信設定処理を行う（ステップＳ２０１）。この送信設定処理の詳細は図１６に示すフローチャートである。制御部１０は、操作パネル３の画像表示部３２に対して分割指定確認画面を表示することにより、ページの分割送信を行う場合の分割ページ数の入力操作を可能にし（ステップＳ２３１）、分割指定の入力操作を受け付ける（ステップＳ２３２）。ここでは複数のページから成る原稿を読み取って生成した画像データをページ毎に分割する際の分割ページ数が入力される。例えば、２ページ毎に分割を行う場合には「２」が入力され、１０ページ毎に分割を行う場合には「１０」が入力される。そして分割ページ数が入力されると、制御部１０はその入力された分割ページ数をページの分割指定としてＲＡＭ１２に記憶する（ステップＳ２３３）。そして送信用ファイルのファイル形式の設定など、その他の送信設定処理（ステップＳ２３４）を行って、この処理を終了する。以上のように、この処理では、画像データを分割するページ単位がＲＡＭ１２に格納されることになる。
【００５５】
図１３に戻り、送信設定処理（ステップＳ２０１）が終了すると、制御部１０は操作パネル３のスタートキー３１ｎ（図９参照）が操作されるまで待機し（ステップＳ２０２）、スタートキー３１ｎが操作された場合には、スキャナ部２にセットされた複数のページから成る原稿の読み取り動作を行う（ステップＳ２０３）。このとき制御部１０は、原稿読取制御部５１として機能し、スキャナ部２の動作を制御する。そして画像メモリ４１に、複数のページから成る原稿の１ページ毎の画像データが格納される。
【００５６】
そして全ての原稿の読み取りが完了すると、次に制御部１０はページ分割部５６として機能し、分割ファイル作成処理を行う（ステップＳ２０４）。この処理では、ＲＡＭ１２に格納されている分割ページ数に基づいて、複数のページから成る画像データが分割され、複数の分割ファイルが生成される。例えば、全１０ページから成る原稿を２ページ毎に分割することが指定されていた場合、この処理では、１ページ目と２ページ目の画像データから第１の分割ファイルが作成され、３ページ目と４ページ目の画像データから第２の分割ファイルが作成され、５ページ目と６ページ目の画像データから第３の分割ファイルが作成され、７ページ目と８ページ目の画像データから第４の分割ファイルが作成され、９ページ目と１０ページ目の画像データから第５の分割ファイルが作成される。よって合計５つの分割ファイルが作成される。
【００５７】
このようにして分割ファイル作成処理が終了すると、次に制御部１０は送信ページ設定部５３として機能し、分割ファイル選択処理を行う（ステップＳ２０５）。この処理は、分割ファイル作成処理で生成された複数の分割ファイルを複数の宛先のそれぞれに対応付ける処理である。図１７は分割ファイル選択処理（ステップＳ２０５）の詳細な処理手順を示すフローチャートである。制御部１０は、操作パネル３の画像表示部３２に対して分割ファイル選択画面を表示する（ステップＳ２４１）。
【００５８】
図１８は、この分割ファイル選択画面の一例を示す図である。図１８に示すように、分割ファイル選択画面では、画面左側に分割ファイル作成処理で作成された複数の分割ファイルがサムネイル画像として一覧表示されている。また画面右側には、ユーザが送信先として選択した複数の宛先が一覧表示されている。そのため、この分割ファイル選択画面における左側の分割ファイル一覧表示３２ａの中から一の分割ファイルを選択し、右側の宛先一覧表示３２ｂの中から少なくとも１つの宛先を選択することにより、選択された一の分割ファイルの送信先となる少なくとも１つの宛先を対応付けることができるようになっている。尚、図例では、分割ファイル一覧表示の中から「ファイル１」が選択され、宛先一覧表示の中から宛先「Ａ」と「Ｂ」の２つの宛先が選択された状態を示しており、この場合は「ファイル１」の送信先として宛先「Ａ」と「Ｂ」の２つの宛先が設定される。
【００５９】
図１７に戻り、制御部１０は、画像表示部３２に分割ファイル選択画面を表示した後、ユーザによって分割ファイルの選択が行われたか否かを監視しており（ステップＳ２４２）、分割ファイルの選択が行われた場合には、宛先一覧表示に対する宛先の選択操作を受け付ける（ステップＳ２４３）。そして少なくとも１つの宛先が選択された状態で選択終了キーが操作されると、制御部１０は、ユーザによって選択された分割ファイルと、宛先とを互いに対応付けるべくＲＡＭ１２に記憶されている宛先設定情報１５に追加記憶する。そしてステップＳ２４５に進む。尚、ステップＳ２４２で分割ファイルの選択以外の操作が行われた場合にもステップＳ２４５に進む。
【００６０】
そして制御部１０は、分割ファイルの選択操作を終了することが指示された否かを判断し（ステップＳ２４５）、未だ終了が指示されていなければステップＳ２４２に戻って分割ファイルと宛先とを対応付ける処理を繰り返す。これに対し、終了が指示された場合には、ユーザが選択した複数の宛先の中に、分割ファイルが対応付けられていない宛先が存在するか否かを判断する（ステップＳ２４６）。そして分割ファイルが対応付けられていない宛先が存在する場合には、その宛先に対して全ての分割ファイルを対応付けてＲＡＭ１２の宛先設定情報１５に追加記憶する（ステップＳ２４７）。尚、ステップＳ２４６で分割ファイルが対応付けられていない宛先が存在しなかった場合にはそのまま処理を終了する。
【００６１】
図１９は、上記のような分割ファイル選択処理によって更新される宛先設定情報１５の一例を示す図である。図１９に示すように上述した分割ファイル選択処理（ステップＳ２０５）が行われると、送信宛先選択処理（ステップＳ２００）が終了した時点では宛先名１５ａと宛先アドレス１５ｂのみであった宛先設定情報１５に対し、分割ファイル１５ｅが追加記憶されており、ユーザが選択した複数の宛先のそれぞれに対して送信対象となる分割ファイルが指定されている。ここで、分割ファイルのそれぞれには特定のページの画像データが含まれることから、上述した分割ファイル選択処理において、複数の宛先のそれぞれに対し、複数の分割ファイルのうちから少なくとも１つの分割ファイルを選択して対応付けることは、すなわち、複数の宛先のそれぞれに対して送信するための送信ページを設定することと同義である。
【００６２】
図１３に戻り、分割ファイル選択処理（ステップＳ２０５）が終了すると、次に制御部１０は、送信用ファイル生成部５４およびファイル送信処理部５５として機能する。そして制御部１０はＲＡＭ１２に格納しておいた宛先設定情報１５を読み出し、ユーザによって選択された複数の宛先のうちから一の宛先を選択する（ステップＳ２０６）。続いて、その一の宛先に対応する分割ファイル１５ｅを参照し、当該一の宛先に対応付けられた分割ファイルを特定し、画像メモリ４１に格納されている複数の分割ファイルの中から特定した分割ファイルを読み出して送信用ファイルを作成する（ステップＳ２０７）。ここで当該一の宛先に対して複数の分割ファイルが対応付けられている場合、制御部１０はそれら複数の分割ファイルを読み出し、それぞれの分割ファイルから一つずつ送信用ファイルを生成する。
【００６３】
そして制御部１０は、ステップＳ２０７で生成した送信用ファイルを、ステップＳ２０６で選択した一の宛先に送信する（ステップＳ２０８）。その後、制御部１０は、宛先設定情報１５に登録された複数の宛先の全てに対して送信用ファイルの送信処理を行ったか否かを判断する（ステップＳ２０９）。そして未だ送信していない宛先があれば、ステップＳ２０６に戻って上述したステップＳ２０６〜Ｓ２０８の処理を繰り返し実行する。また全ての宛先への送信処理が完了した場合、制御部１０は未送信の分割ファイルが存在するか否かを判断し（ステップＳ２１０）、未送信の分割ファイルが存在する場合には操作パネル３の画像表示部３２に確認画面を表示し（ステップＳ２１１）、その画面に対するユーザの操作に基づいて未送信の分割ファイルを削除する等の処理を行った後（ステップＳ２１２）、処理を終了する。尚、ステップＳ２１０で未送信の分割ファイルが存在しなかった場合にはそのまま処理を終了する。
【００６４】
図２０は、上述した処理を行うことによって画像処理装置１で実現される送信形態の一例を示す図である。例えば画像処理装置１が全１０ページから成る原稿９を一度に読み取って２ページ毎に分割し、図１９に示す宛先設定情報１５に基づいて宛先Ａ，Ｂ，Ｃ，Ｄ，Ｅ，Ｆ，Ｇのそれぞれに対して送信用ファイルを送信する場合、画像処理装置１は、複数の宛先Ａ，Ｂ，Ｃ，Ｄ，Ｅ，Ｆ，Ｇのそれぞれに対して、ユーザによって指定された送信ページ（分割ファイル）から成る送信用ファイルを送信する。その結果、図２０に示すように、宛先「Ａ」には分割ファイル１に含まれる１〜２ページの画像と分割ファイル４に含まれる７〜８ページの画像とが送信され、宛先「Ｂ」には分割ファイル３に含まれる５〜６ページの画像が送信される。また宛先「Ｃ」には分割ファイル１に含まれる１〜２ページの画像が送信され、宛先「Ｄ」には分割ファイル２に含まれる３〜４ページの画像が送信され、宛先「Ｅ」と「Ｆ」には分割ファイル５に含まれる９〜１０ページの画像が送信される。そして宛先「Ｇ」には全ての分割ファイル１〜５に含まれる１０ページ全ての画像が送信される。
【００６５】
尚、上記の例では、説明を簡単にするために、分割ファイルを作成する際の分割ページ数の設定として一定ページ毎にページを分割する場合を例示したが、分割ページ数の設定は必ずしも一定ページ毎である必要はない。すなわち、分割ページ数は分割するファイル毎に設定することも可能であり、例えば、全１０ページの原稿の場合、１〜２ページを第１の分割ファイルとし、３〜９ページを第２の分割ファイルとし、１０ページのみを第３の分割ファイルとするといったように、分割ファイル毎に含まれるページ数が異なるような分割ページ数を設定することも可能である。
【００６６】
本実施形態の画像処理装置１は、ページを分割する分割ページ数を指定しておくことで、複数のページから成る原稿９を一度に読み取ったときに複数のページの画像データをページ分割してそれぞれ異なるページの画像データを含む複数の分割ファイルを生成する。そして複数の宛先のそれぞれに対し、複数の分割ファイルのうちから少なくとも１つのファイルを対応付けることによって、複数の宛先のそれぞれに対して送信するための送信ページを設定することができる。つまり、本実施形態でも、複数の宛先のそれぞれに対して送信するページを変更して送信することができる。
【００６７】
そして本実施形態の画像処理装置１は、例えば複数種類の伝票があり、伝票の種類毎に取扱担当者が異なるような場合において、各種類の伝票枚数を分割ページ数として指定し、複数種類の伝票をまとめて読み取った後にそれぞれの取扱担当者の宛先を指定して送信するような利用形態に適している。すなわち、本実施形態の画像処理装置１は、送信するページが異なる宛先毎に原稿の読み取り操作を別々に行う必要がなくなるので、複数の宛先に対してそれぞれ異なるページを配信する際の操作性を向上させることが可能である。
【００６８】
（変形例）
以上、本発明に関する幾つかの実施形態について説明したが、本発明は上述した内容のものに限定されるものではなく、種々の変形例が適用可能である。例えば、上記においては主として複数のページから成る原稿を読み取って複数の宛先に対してスキャン送信を行う場合を例示したが、本発明は必ずしもスキャン送信に限られるものではなく、ＦＡＸ送信を行う場合にも適用することができる。
【００６９】
また第１および第２の実施の形態のそれぞれで説明した送信形態をひとつの画像処理装置１で実現することも可能である。すなわち、複数のページから成る原稿を読み取って複数の宛先に送信する場合には、上述した第１の実施の形態による送信形態と、第２の実施の形態による送信形態のいずれか一方を選択して実行するような画像処理装置を構成することも可能である。
【図面の簡単な説明】
【００７０】
【図１】画像処理装置が組み込まれた画像処理システムの一構成例を示す図である。
【図２】画像処理装置の内部構成の一例を示すブロック図である。
【図３】宛先情報の一例を示す図である。
【図４】画像処理装置に対して宛先情報を登録する際に操作パネルに表示される登録画面の一例を示す図である。
【図５】第１の実施の形態における制御部の機能構成を示す図である。
【図６】第１の実施の形態において画像処理装置が複数のページから成る原稿を読み取って複数の宛先に対してそれぞれ異なるページの画像データで構成された送信用ファイルを送信するための処理手順の一例を示すフローチャートである。
【図７】図６における送信宛先選択処理の詳細な処理手順の一例を示すフローチャートである。
【図８】操作パネルの画像表示部に送信宛先選択画面が表示された状態を示す図である。
【図９】操作パネルの画像表示部に分割指定確認画面が表示された状態を示す図である。
【図１０】宛先設定情報の一例を示す図である。
【図１１】第１の実施の形態の画像処理装置で実現される送信形態の一例を示す図である。
【図１２】第２の実施の形態における制御部の機能構成を示す図である。
【図１３】第２の実施の形態において画像処理装置が複数のページから成る原稿を読み取って複数の宛先に対してそれぞれ異なるページの画像データで構成された送信用ファイルを送信するための処理手順の一例を示すフローチャートである。
【図１４】図１３における送信宛先選択処理の詳細な処理手順の一例を示すフローチャートである。
【図１５】図１４の送信宛先選択処理で格納される宛先設定情報の一例を示す図である。
【図１６】図１３における送信設定処理の詳細な処理手順の一例を示すフローチャートである。
【図１７】図１３における分割ファイル選択処理の詳細な処理手順を示すフローチャートである。
【図１８】分割ファイル選択画面の一例を示す図である。
【図１９】分割ファイル選択処理によって更新される宛先設定情報の一例を示す図である。
【図２０】第２の実施の形態の画像処理装置で実現される送信形態の一例を示す図である。
【符号の説明】
【００７１】
１  画像処理装置
２  スキャナ部（原稿読取手段）
３  操作パネル
１０  制御部
１４  プログラム
２１  原稿読取部（原稿読取手段）
２２  自動原稿搬送装置
５１  原稿読取制御部
５２  送信宛先設定部（送信宛先設定手段）
５３  送信ページ設定部（送信ページ設定手段）
５４  送信用ファイル生成部（送信用ファイル生成手段）
５５  ファイル送信処理部（ファイル送信手段）
５６  ページ分割部（ページ分割手段）
【図１】
2010135965.tif 000003
【図２】
2010135965.tif 000004
【図３】
2010135965.tif 000005
【図４】
2010135965.tif 000006
【図５】
2010135965.tif 000007
【図６】
2010135965.tif 000008
【図７】
2010135965.tif 000009
【図８】
2010135965.tif 000010
【図９】
2010135965.tif 000011
【図１０】
2010135965.tif 000012
【図１１】
2010135965.tif 000013
【図１２】
2010135965.tif 000014
【図１３】
2010135965.tif 000015
【図１４】
2010135965.tif 000016
【図１５】
2010135965.tif 000017
【図１６】
2010135965.tif 000018
【図１７】
2010135965.tif 000019
【図１８】
2010135965.tif 000020
【図１９】
2010135965.tif 000021
【図２０】
2010135965.tif 000022